(57)【要約】【課題】主に、吸引口を単純な構造としつつ、様々な大きさや形状のワイパーヘッドに柔軟に対応できて、しかも、どのようなワイパーヘッドであっても効率的にゴミを吸い取れるようにする。【解決手段】電動チリトリ３は、床面１上に載置可能な本体ケーシング１１の内部に、吸引装置１２と、吸引装置１２から延びる吸引風路１３とを収容設置したものである。  本体ケーシング１１の床面１との接触部分には、吸引風路１３の先端部に接続される吸引口１４を設ける。この際、吸引口１４は、フローリングワイパー２のワイパーヘッド２ｂの側縁部２ｂ１が床面１に沿って差込可能となっている。  また、この吸引口１４は、本体ケーシング１１の底面１１ａに切欠状の凹部１５を有する。凹部１５は、幅方向Ｙの両端側が浅く、幅方向Ｙの中央へ向かって深くなるアーチ状の部分を有する。【選択図】図６
2019180474.tif 000002
【特許請求の範囲】
【請求項１】
床面上に載置可能な本体ケーシングの内部に、吸引装置と、該吸引装置から延びる吸引風路とを収容設置し、
前記本体ケーシングの床面との接触部分に、前記吸引風路の先端部に接続される吸引口を設けると共に、
該吸引口は、フローリングワイパーのワイパーヘッドの側縁部が床面に沿って差込可能となっており、
また、前記吸引口は、前記本体ケーシングの底面に切欠状の凹部を有しており、
該凹部は、幅方向の両端側が浅く、幅方向の中央へ向かって深くなるアーチ状の部分を有していることを特徴とする電動チリトリ。
【請求項２】
請求項１に記載の電動チリトリにおいて、
前記本体ケーシングの底面に、（アーチ状をした）前記凹部の縁部に沿って床面と密着可能なシール材を取付けたことを特徴とする電動チリトリ。
【請求項３】
請求項１または請求項２に記載の電動チリトリにおいて、
前記吸引口が、前記凹部の両側に、前記本体ケーシングの側面に対して前記凹部よりも浅く凹む段部を有していることを特徴とする電動チリトリ。
【請求項４】
請求項１ないし請求項３のいずれか１項に記載の電動チリトリにおいて、
前記吸引口の上部が奥側へ向かって下り勾配となる傾斜面を有していることを特徴とする電動チリトリ。
【請求項５】
請求項１ないし請求項４のいずれか１項に記載の電動チリトリにおいて、
前記吸引口の上部から床面へ向けて延びると共に、前記吸引口と前記吸引風路の先端部との接続口部の両側に位置する一対のスイッチレバーを設けたことを特徴とする電動チリトリ。
【請求項６】
請求項５に記載の電動チリトリにおいて、
前記接続口部が、前記吸引口の幅中央部に設けられ、前記一対のスイッチレバーが、前記吸引口を幅方向に３分割する位置に設けられていることを特徴とする電動チリトリ。
【請求項７】
請求項１ないし請求項６のいずれか１項に記載の電動チリトリにおいて、
前記本体ケーシングの側面に、前記吸引口の外側からスイッチレバーを操作するスイッチ操作具を装着可能としたことを特徴とする電動チリトリ。
【発明の詳細な説明】
【技術分野】
【０００１】
この発明は、電動チリトリに関するものである。
【背景技術】
【０００２】
例えば、フローリング床を清掃する際に、掃除機の代わりにフローリングワイパーを用いることがある。フローリングワイパーは、柄の付いたワイパーヘッドに清掃シートを取付けて使うようにした手軽な床清掃具であり、柄を持って床面に沿うようにワイパーヘッドを動かすことで、ワイパーヘッドに取付けた清掃シートで床面を払拭すると共に、清掃シートに床面上のゴミを付着させて捕集するようになっている。
【０００３】
清掃シートは、ある程度汚れたら適宜交換することができるが、床清掃によってワイパーヘッド（に取付けた清掃シート）に付着したゴミを取ることで、清掃シートの交換時期を延ばすことができる。ワイパーヘッドから取ったゴミは、ゴミ箱やチリトリなどにそのまま捨てるようにする。
【０００４】
また、床清掃後にワイパーヘッドから付着したゴミを手作業で取り除くのは、手間が掛かると共に煩わしい作業であるため、ワイパーヘッドで集めたゴミを吸い込ませて除去するようにした電動チリトリなども開発されている（例えば、特許文献１参照）。
【先行技術文献】
【特許文献】
【０００５】
【特許文献１】特許第４１６３５５４号公報
【発明の概要】
【発明が解決しようとする課題】
【０００６】
しかしながら、市販されているフローリングワイパーは、特に規格化されていないため、様々な大きさや形状のワイパーヘッドを有するフローリングワイパーが、現在、市場に数多く出回っているのが実情である。
【０００７】
そこで、特許文献１に記載された電動チリトリでは、様々な大きさや形状のワイパーヘッドに対応するために、吸引口を最も大きいワイパーヘッドよりも十分に大きくしていた。しかし、吸引口を必要以上に大きくすると、吸引口とワイパーヘッドとの間に過大な隙間ができるため、隙間から空気漏れが生じてしまい、吸引力が低くなっていた。
【０００８】
また、特許文献１の電動チリトリは、主に、ワイパーヘッドの底面に付着したゴミを吸い取るような構成にしていたため、吸引口の内部にワイパーヘッドを浮かせるための支持構造が設けられていた。そのため、吸引口の内部構造が複雑になっていた。
【０００９】
そこで、本発明は、主に、上記した問題点を解決することを目的としている。
【課題を解決するための手段】
【００１０】
上記課題を解決するために、本発明は、床面上に載置可能な本体ケーシングの内部に、吸引装置と、該吸引装置から延びる吸引風路とを収容設置し、前記本体ケーシングの床面との接触部分に、前記吸引風路の先端部に接続される吸引口を設けると共に、該吸引口は、フローリングワイパーのワイパーヘッドの側縁部が床面に沿って差込可能となっており、また、前記吸引口は、前記本体ケーシングの底面に切欠状の凹部を有しており、該凹部は、幅方向の両端側が浅く、幅方向の中央へ向かって深くなるアーチ状の部分を有している電動チリトリを特徴とする。
【発明の効果】
【００１１】
本発明によれば、上記構成によって、吸引口を単純な構造としつつ、様々な大きさや形状のワイパーヘッドに柔軟に対応できて、しかも、どのようなワイパーヘッドであっても効率的にゴミを吸い取れるようになる。
【図面の簡単な説明】
【００１２】
【図１】本実施の形態にかかる電動チリトリの使用状態を示す斜視図である。
【図２】図１の電動チリトリの全体斜視図である。
【図３】図２の電動チリトリの正面図である。
【図４】（ａ）図２の電動チリトリの左側面図、（ｂ）は、電動チリトリを壁際に設置した状態を示す左側面図である。
【図５】図２の電動チリトリの背面図である。
【図６】図２の電動チリトリを底面側から見た斜視図である。
【図７】本体ケーシングの容器収容部にゴミ容器をセットする状態を示す斜視図である。
【図８】図７とは反対の方向から見た電動チリトリの容器収容部を示す斜視図である。
【図９】ゴミ容器の斜視図である。
【図１０】電動チリトリの部分的な底面図であり、（ａ）は吸引口の凹部に一般的な大きさのワイパーヘッドを平行に差込んだ状態、（ｂ）は一般的な大きさのワイパーヘッドを斜めに差込んだ状態、（ｃ）は吸引口の段部に大き目のワイパーヘッドを当てた状態である。
【図１１】吸引口を側方から見た部分拡大断面図である。
【図１２】スイッチレバーを示す、吸引口を正面から見た部分拡大断面図である。
【図１３】スイッチ操作具を装着した状態を示す電動チリトリの全体斜視図である。
【図１４】スイッチ操作具を背面側から見た斜視図である。
【図１５】（ａ）はスイッチ操作具の正面図、（ｂ）はスイッチ操作具の側面図、（ｃ）はスイッチ操作具の背面図である。
【発明を実施するための形態】
【００１３】
以下、本実施の形態を、図面を用いて詳細に説明する。
図１〜図１５は、この実施の形態を説明するためのものである。
【実施例１】
【００１４】
＜構成＞以下、この実施例の構成について説明する。
【００１５】
例えば、図１に示すように、フローリング床などの床面１を清掃する際に用いられているフローリングワイパー２を補助してより使い勝手を良くするために電動チリトリ３を設ける。フローリングワイパー２は、柄２ａの付いたワイパーヘッド２ｂに清掃シート４を取付けて使うようにした（電気を使わない）手軽な床清掃具である。フローリングワイパー２は、柄２ａを持って床面１に沿うようにワイパーヘッド２ｂを動かすことで、ワイパーヘッド２ｂに取付けた清掃シート４で床面１を払拭すると共に、清掃シート４に床面１上のゴミを付着させるなどして捕集するものである。
【００１６】
床清掃後には、ワイパーヘッド２ｂで集めたゴミを電動チリトリ３に吸い込ませて除去する。清掃シート４は、ある程度汚れたら適宜交換することができる。
【００１７】
ここで、床面１は、フローリングワイパー２によって払拭される面（被払拭面）のことである。フローリングワイパー２は、市販のものを使用することを前提としているが、電動チリトリ３に合わせた専用のものなどを用いても良い。市販のフローリングワイパー２は、特に規格化されていないため、様々な大きさや形状のワイパーヘッド２ｂを有するものが出回っており、電動チリトリ３は、これらに柔軟に対応できるものにする必要がある。
【００１８】
ワイパーヘッド２ｂは、平面視ほぼ長方形状をして所要の厚みを有するほぼ薄板状などをした床払拭部材である。ワイパーヘッド２ｂは、その底面が床払拭面になっていると共に、上面の両側部やコーナー部などには清掃シート４のコーナー部を差込んで保持するためのシート保持部が設けられている。清掃シート４は、床払拭面を覆うように下側からワイパーヘッド２ｂに巻き付けた後に、そのコーナー部をワイパーヘッド２ｂの上面に設けられたシート保持部へ差込んで保持させるようにする。清掃シート４には、目的に応じて、ドライタイプのものやウェットタイプのものなど各種のものが存在している。
【００１９】
そして、電動チリトリ３を、以下のようなものとする。なお、電動チリトリ３の方向を、奥行方向Ｘ、幅方向Ｙ、高さ方向Ｚとする。
【００２０】
（１）図２〜図６（主に、図２参照）に示すように、床面１上に載置可能な本体ケーシング１１の内部に、吸引装置１２と、吸引装置１２から延びる吸引風路１３とを収容設置する。そして、本体ケーシング１１の床面１との接触部分に、吸引風路１３の先端部に接続される吸引口１４を設ける。更に、吸引口１４は、フローリングワイパー２のワイパーヘッド２ｂの側縁部２ｂ１（図１）を床面１に沿って差込可能となっている。また、この吸引口１４は、本体ケーシング１１の底面１１ａに切欠状の凹部１５（図６）を有している。凹部１５は、幅方向Ｙの両端側が浅く、幅方向Ｙの中央へ向かって深くなるアーチ状の部分（アーチ状凹部）を有するものとする。
【００２１】
ここで、本体ケーシング１１は、基本的に床面１上に載置して使用するものとされるが、必ずしも床面１上に載置して使用する必要はなく、フローリングワイパー２によって払拭される面（被払拭面）の上であれば、例えば、台上などに載置して使用しても良い（この場合、床面１は、被払拭面と読み替えることになる）。本体ケーシング１１は、樹脂製や金属製のものなどとされる。本体ケーシング１１は、有効な大きさの吸引口１４が形成できるのであれば、どのような形状としても良いが、この実施例では、本体ケーシング１１を、底面１１ａと上面１１ｂと４つの側面１１ｃ〜１１ｆとを有する筐体としている。
【００２２】
この際、本体ケーシング１１の上面１１ｂを、ワイパーヘッド２ｂの平面形状とほぼ同じかそれよりも一回り程度大きい相似形状にすることで、本体ケーシング１１をコンパクト化すると共に、フローリングワイパー２を本体ケーシング１１の上に乗せて保管するのに適したものにしても良い。
【００２３】
そして、本体ケーシング１１の４つの側面１１ｃ〜１１ｆは、幅の広い一対の長辺側の側面１１ｃ，１１ｄと、幅の狭い一対の短辺側の側面１１ｅ，１１ｆと、を有するものとなっている。長辺側の側面１１ｃ，１１ｄは、ワイパーヘッド２ｂの長辺とほぼ同じかそれよりも若干長く、短辺側の側面１１ｅ，１１ｆは、ワイパーヘッド２ｂの短辺とほぼ同じかそれよりも若干長くなっている。但し、本体ケーシング１１の４つの側面１１ｃ〜１１ｆの長さは、上記に限るものではない。
【００２４】
この際、４つの側面１１ｃ〜１１ｆに対し、上面１１ｂよりも所要量だけ上へ張り出す張出部または周壁部１１ｇを連続的または不連続的に設けることで、フローリングワイパー２を周壁部１１ｇ内に安定して収容保持できるようにしても良い。また、周壁部１１ｇの内部にトレーを着脱可能に設置すれば、トレーによって本体ケーシング１１の上面１１ｂを保護すると共に、電動チリトリ３の外観品質を向上することができる。また、トレーが汚れた場合などには、本体ケーシング１１の上面１１ｂからトレーを取り外して洗うことなどもできる。
【００２５】
吸引装置１２は、ファン１２ａと、ファン１２ａを駆動するモータ１２ｂとを有するものとされる。ファン１２ａとモータ１２ｂは一体化してユニット化することができるが、吸引装置１２の構造は、これに限るものではない。吸引装置１２は、本体ケーシング１１内に設置されると共に、本体ケーシング１１の吸引装置１２を設けた部分の側面１１ｃ〜１１ｆには排気口１６が設けられる。排気口１６は、本体ケーシング１１のどの側面１１ｃ〜１１ｆに設けても良いが、短辺側の側面１１ｅ，１１ｆのどちらか一方（例えば、側面１１ｆ）に設けるのが好ましい。
【００２６】
吸引風路１３は、ほぼ横へ延びると共に、一端側が吸引装置１２の吸入側に接続され、他端側（先端側）が本体ケーシング１１の吸引口１４に接続される。吸引風路１３は、本体ケーシング１１の側面１１ｃ〜１１ｆなどに沿って配設される。この実施例では、例えば、（吸引装置１２とは反対側となる）短辺側の側面１１ｅに沿って配設される第１の風路部１３ａと、（吸引口１４が設けられる）長辺側の側面１１ｃに沿って配設される第２の風路部１３ｂとを有している。吸引風路１３は、丸断面などとしても良いが、本体ケーシング１１内に配設した時に、本体ケーシング１１の内部空間をより大きく確保できるようにしつつ、より大きな風路断面を確保できるように（縦長の）矩形断面などとすることもできる。吸引風路１３の他端側（先端側）には、吸引口１４と接続するための屈曲部１３ｃを有するようにしても良い。この実施例では、屈曲部１３ｃは吸引口１４へ向かって下向きに屈曲されている。
【００２７】
なお、吸引風路１３は、屈曲部１３ｃを除き、全体としてほぼ水平に配設しても良いが、例えば、吸引口１４から吸引装置１２側へ向けて下り勾配となる傾斜部を少なくとも一部（例えば、第１の風路部１３ａ）に設けることで、吸い込んだゴミの吸引口１４への逆流を防止することが可能になる。また、吸引風路１３は、全体をほぼ均一断面に形成しても良いが、例えば、吸引装置１２の側の部分（第２の風路部１３ｂ）の断面を吸引口１４の側の部分（第１の風路部１３ａ）の断面よりも大きくすることで、吸引風路１３のメンテナンスを吸引装置１２の側から行い易くすることができる。
【００２８】
図７（〜図９）に示すように、吸引風路１３の途中には、ゴミ容器１７を着脱可能に収容する容器収容部１８を設けるようにしても良い。そして、本体ケーシング１１には、容器収容部１８を露出させる蓋部１１ｈを開閉可能に設けても良い。更に、蓋部１１ｈと容器収容部１８との間に、シール部材１９ａと、蓋部１１ｈを閉じた時にシール部材１９ａが圧着するシール面１９ｂとを有するシール部１９を備えるようにしても良い。
【００２９】
ここで、ゴミ容器１７は、ダストケースや、ゴミパックなどとすることができる。ダストケースは樹脂製などの箱などのことである。ゴミパックは、図９に示すような通気性を有する紙製や不織布製などの袋のことである。
【００３０】
容器収容部１８は、ゴミ容器１７が入る大きさの空間とされる。容器収容部１８は、吸引装置１２と幅方向Ｙに隣接するように本体ケーシング１１の内部に配置されて、吸引装置１２と吸引風路１３の第１の風路部１３ａの端部との間に介在される。容器収容部１８の一側には、吸引装置１２の吸入側に接続される吸入口１８ａ（図８）が設けられ、容器収容部１８の他側には、吸引風路１３の第１の風路部１３ａの端部に対する接続口１８ｂ（図７）が設けられる。接続口１８ｂは、例えば、ゴミパックの入口部の形状に合うように丸断面などとしても良い。また、吸引風路１３の第１の風路部１３ａや第２の風路部１３ｂは、吸引口１４よりも高くなるように、ゴミパックの入口部とほぼ同じ高さ（本体ケーシング１１のほぼ中間の高さ）などに設置するのが好ましい。
【００３１】
蓋部１１ｈは、本体ケーシング１１の上面１１ｂなどに設けられる。蓋部１１ｈは、例えば、本体ケーシング１１の上面１１ｂに設けた開口部分にヒンジ部などを中心として上下方向で且つ吸引装置１２の側へ開くように取付けられる。蓋部１１ｈと本体ケーシング１１の開口部分との間には、ヒンジ部と反対の側に、爪部と爪掛り部とを有するロック部が設けられる。但し、蓋部１１ｈの位置や構成や開閉方向などについては、上記に限るものではない。
【００３２】
シール部材１９ａは、本体ケーシング１１の上面１１ｂに設けた開口部分と蓋部１１ｈとのどちらか一方に設けられ、シール面１９ｂは、開口部分と蓋部１１ｈとの他方に設けられる。この実施例では、シール部材１９ａを蓋部１１ｈに設けると共に、シール面１９ｂを本体ケーシング１１の開口部分に設けている。
【００３３】
この際、シール部材１９ａを蓋部１１ｈの内面側から突設されたフランジ状または環状のリブ１１ｉの先端部に設けると共に、シール面１９ｂを本体ケーシング１１の開口部分の奥側に設けた、リブ１１ｉの長さと等しい深さを有する段差面などとしても良い。リブ１１ｉは、例えば、本体ケーシング１１の上面１１ｂの肉厚よりも長い、ほぼ５ミリ程度以上で２センチ程度以下の長さなどとすることができる。
【００３４】
このように、吸引風路１３の途中に容器収容部１８を設けて、容器収容部１８にゴミ容器１７を着脱可能に収容できるようにすることで、吸引風路１３から本体ケーシング１１内へ吸い込まれたゴミをゴミ容器１７に溜めておき、ゴミ容器１７がゴミで満杯になった時などに本体ケーシング１１の蓋部１１ｈを開けて容器収容部１８からゴミ容器１７を取り出すことで、手を汚さずにゴミを捨てることができる。
【００３５】
この際、蓋部１１ｈと容器収容部１８との間に、シール部材１９ａと、蓋部１１ｈを閉じた時にシール部材１９ａが圧着するシール面１９ｂとを有するシール部１９を備えるようにすることで、シール部１９で、容器収容部１８の密閉度を高めて吸引力の低下を防止することができる。
【００３６】
また、蓋部１１ｈに環状のリブ１１ｉを設けると共に、本体ケーシング１１の開口部分の奥側に段差面状のシール面１９ｂを設けて、シール部１９を本体ケーシング１１の上面１１ｂよりも奥側の深い位置に設けることにより、蓋部１１ｈの剛性を上げると共に、シール部１９による密閉性をより向上することができる。
【００３７】
そして、吸引口１４が設けられる本体ケーシング１１の床面１との接触部分は、本体ケーシング１１の側面１１ｃ〜１１ｆの下辺部周辺のことである。
【００３８】
吸引口１４は、フローリングワイパー２で集めたゴミを吸引するための部分である。吸引口１４は、どのような形状や大きさのものとしても良いが、吸引口１４は、ワイパーヘッド２ｂの側縁部２ｂ１を床面１に沿って差込むのに丁度良い大きさや形状や深さ（奥行き）を有するように形成するのが好ましい。
【００３９】
例えば、吸引口１４は、ワイパーヘッド２ｂの長辺側の側縁部２ｂ１とほぼ同じかそれよりも若干長い幅寸法と、ワイパーヘッド２ｂの（側縁部２ｂ１における最大部分の）厚みとほぼ同じかそれよりも若干高い高さ寸法を有して横へ細長く延びるスリット状のものなどとするのが好ましい。そして、吸引口１４は、ワイパーヘッド２ｂの長辺側の側縁部２ｂ１を所要量差込むことができる奥行きに形成される。そのために、この実施例では、吸引口１４は、本体ケーシング１１の長辺側の側面１１ｃ，１１ｄのうちの１つ（この実施例では、側面１１ｃとなっている）の下辺部に沿って設けられている。
【００４０】
この際、吸引口１４は、ワイパーヘッド２ｂがギリギリ入る大きさにして、ワイパーヘッド２ｂとの隙間をより小さくするのが、吸引力を高める上では理想的である。しかし、上記したように、市販されているフローリングワイパー２は、特に規格化されていないため、様々な大きさや形状のワイパーヘッド２ｂを有するフローリングワイパー２が、現在、市場に数多く出回っている。
【００４１】
そのために、吸引口１４を、市販されているほぼ全ての大きさのワイパーヘッド２ｂに対して使えるものにする場合、吸引口１４は、市販されているうちの最も大きなワイパーヘッド２ｂに合わせた大きさにする必要が生じる。または、寸法上の都合などによって、最も大きなワイパーヘッド２ｂに合わせることが難しい場合には、使用を想定しているワイパーヘッド２ｂのうちの最も大きなものなどに合わせることになる。
【００４２】
しかし、吸引口１４を大きなワイパーヘッド２ｂに合わせてしまうと、小さなワイパーヘッド２ｂを使用した時に、吸引口１４と小さなワイパーヘッド２ｂとの間に隙間が生じてしまうため、隙間からの空気漏れによって吸引力が低下する。
【００４３】
そこで、まず、吸引口１４は、その入口部分を、最も厚みのあるワイパーヘッド２ｂとほぼ同じ高さかまたはそれよりも僅かに高い高さ寸法にする。また、吸引口１４は、その入口部分を、最も幅の広いワイパーヘッド２ｂとほぼ同じ長さかまたはそれよりも僅かに長い幅寸法にする。そして、吸引口１４は、フローリングワイパー２が柄２ａまで入らない程度の深さ、即ち、短辺の幅が最も狭いワイパーヘッド２ｂにおける、短辺の半幅程度以下の深さ（ほぼ５ミリから５〜６センチ程度）にする。
【００４４】
そして、図１０に示すように、吸引口１４の内部に床面１が露出されるような切欠状の凹部１５を設けて、この切欠状の凹部１５をアーチ状にする。切欠状の凹部１５は、吸引口１４の両端部を除いたほぼ全域に形成される。
【００４５】
アーチ状の凹部１５は、ほぼ左右対称に形成される。アーチ状の凹部１５は、主に、曲線状の部分によって形成されるが、アーチ状の凹部１５の奥部または中央部には、アーチ状の凹部１５が深く成り過ぎないように、所要長さの直線状の部分などを有するようにしても良い。
【００４６】
この際、アーチ状の凹部１５を、様々な大きさや形状のワイパーヘッド２ｂに合うような形状にする。例えば、アーチ状の凹部１５は、以下のようにしてその形状を設定することができる。
【００４７】
まず、市販されているフローリングワイパー２を、一般的な大きさのワイパーヘッド２ｂと、それよりも大き目のワイパーヘッド２ｂとに分類する。一般的な大きさのワイパーヘッド２ｂには、フローリングワイパー２のうちの代表的なものや平均的なものなどを含む大多数のワイパーヘッド２ｂが属するようにする。大き目のワイパーヘッド２ｂは、一般的な大きさのワイパーヘッド２ｂの範疇を外れた少数のものが属するようにする。
【００４８】
そして、例えば、中心を合わせて吸引口１４へ平行に差込んだ一般的な大きさのワイパーヘッド２ｂの側縁部２ｂ１の両端部の位置を、（様々な大きさや形状を有する）ワイパーヘッド２ｂごとにそれぞれ求め、これらの位置を手前側から奥側へ向かって徐々に幅が狭くなって行くように順番に並べて滑らかに結んだ曲線などの線を求めてアーチ状の凹部１５にする。これにより、凹部１５を一般的な大きさのワイパーヘッド２ｂに合ったものとすることが可能となる。但し、アーチ状の凹部１５の設定の仕方は、上記に限るものではない。
【００４９】
（２）図６に示すように、本体ケーシング１１の底面１１ａに、（アーチ状をした）凹部１５の縁部に沿って床面１と密着可能なシール材２１を取付けるようにしても良い。
【００５０】
ここで、シール材２１は、ゴム系のものや、軟質樹脂製のものや、発泡ウレタン系のものや、スポンジ系のものや、不織布系のものなどとすることができる。シール材２１による密着性は、余り厳密なものでなくても良いが、電動チリトリ３として必要な吸引性能を確保できる程度のものであることが望ましい。シール材２１は、粘着テープ状にしたものを、貼り付けるようにして設けても良い。シール材２１は、凹部１５の縁部を越えて、吸引口１４の縁部や本体ケーシング１１の縁部に届くように延ばしても良い。なお、底面１１ａ高さを揃えるために、本体ケーシング１１の底面１１ａにおける背面（側面１１ｄ）側のコーナー部などにも同様のシール材２１を取付けるようにする。
【００５１】
（３）図１０（ｃ）に示すように、吸引口１４が、凹部１５の両側に、本体ケーシング１１の側面１１ｃに対して凹部１５よりも浅く凹む段部２２を有するようにしても良い。
【００５２】
ここで、段部２２は、上記した一般的な大きさのワイパーヘッド２ｂの範疇から外れた数少ない大き目のワイパーヘッド２ｂに合わせるために、凹部１５の外側（または吸引口１４の入口部分）に設けられるものである。段部２２は、例えば、上記大き目のワイパーヘッド２ｂ（のうちの、市販されている最も大きなものや、使用を想定しているうちの最も大きなものなど）に合わせた幅や高さに形成するのが好ましい。
【００５３】
段部２２は、例えば、中心を合わせて吸引口１４へ平行に差込んだ大き目のワイパーヘッド２ｂの側縁部２ｂ１の両端部や上縁部を受けて密閉性を確保し得る大きさにする。段部２２は、凹部１５の両側部に設けられるが、必要に応じて凹部１５の上側の部分にも設けられる。段部２２は、本体ケーシング１１の側面１１ｃと平行な面を有するものとされる。
【００５４】
本体ケーシング１１の側面１１ｃに対する段部２２の深さは、大き目のワイパーヘッド２ｂが吸引口１４の入口部分に当たる程度でもその密閉性によって十分な吸引力が得られることから、ほぼ５ミリから１センチ程度などのように比較的浅めにできる。必要に応じて、段部２２の外側には、大き目のワイパーヘッド２ｂを段部２２へ案内するために、段部２２へ向って徐々に幅や高さが小さくなるガイド用の傾斜面２３などを設けるようにしても良い。
【００５５】
（４）図１１（および図６）に示すように、吸引口１４の上部が奥側へ向かって下り勾配となる傾斜面２４を有するようにしても良い。
【００５６】
ここで、傾斜面２４は、例えば、図１０（ａ）に示すように、中心を合わせて吸引口１４に平行に差込んだワイパーヘッド２ｂの側縁部２ｂ１の両端部が、アーチ状の凹部１５に２点でほぼ接した時に、図１１に示すように、ワイパーヘッド２ｂの側縁部２ｂ１の上縁部分が吸引口１４の上部に当接またはほぼ当接するようなものが好ましい。
【００５７】
そのために、例えば、ワイパーヘッド２ｂの側縁部２ｂ１の両端部が、上記したようにアーチ状の凹部１５に２点でほぼ接した時のワイパーヘッド２ｂの側縁部２ｂ１の上縁部分の位置を、様々な大きさや形状を有するワイパーヘッド２ｂごとに求めて、これらの位置を結んだ形状の面を求めるようにする。この面が、凹凸や段差を有する場合には、できるだけ滑らかになるように形状を調整して、傾斜面２４となるようにする。これにより、傾斜面２４は、様々な大きさや形状を有するワイパーヘッド２ｂにとって、丁度良い高さのものとなる。但し、吸引口１４の上面の形状の設定の仕方は、上記に限るものではない。また、例えば、上記とは逆に、吸引口１４の上面の形状を先に設定してから、本体ケーシング１１の底面１１ａの凹部１５の形状を設定するようにしても良い。
【００５８】
傾斜面２４は、例えば、平坦面としても良いし、下側へ突出する凸曲面としても良いし、上側に凹む凹曲面としても良いし、これらを組み合わせた形状としても良い。この実施例では、吸引口１４の上面の傾斜面２４は、その大部分が、傾斜角度がほぼ一定で滑らかに奥下がりとなる平坦面としている。なお、傾斜面２４は、構造的には、上記したような凹凸や段差のままとすることもできる。
【００５９】
吸引口１４の上部には、例えば、ワイパーヘッド２ｂとの密着性を高めるために、例えば、発泡ウレタンやゴムやスポンジなどの弾性変形可能なシール面材を貼り付けても良い。
【００６０】
（５）図１１または図１２（図３、図６なども合わせて参照）に示すように、吸引口１４の上部から床面１へ向けて延びると共に、吸引口１４と吸引風路１３の先端部との接続口部２５の両側に位置する一対のスイッチレバー２６を設けるようにしても良い。
【００６１】
ここで、スイッチレバー２６は、ワイパーヘッド２ｂの長辺側の側縁部２ｂ１を吸引口１４へ差込むとオンになり、ワイパーヘッド２ｂを吸引口１４から外すとオフになるものである。これにより、ワイパーヘッド２ｂを吸引口１４へ差込んでいる短い時間だけ電動チリトリ３を作動させることができる。
【００６２】
スイッチレバー２６は、本体ケーシング１１の内部に設置されたスタートスイッチ２７を押すための部材とされる。スイッチレバー２６は、本体ケーシング１１の側面１１ｃにほぼ沿って配置され、側面１１ｃと平行な水平軸２６ａによって本体ケーシング１１内部の吸引口１４の上側に回動可能に軸支された連結部材２６ｂの両端部またはその近傍からそれぞれほぼ下方へ向けて延びるものされている。連結部材２６ｂにはスタートスイッチ２７を押すための突起部２６ｃが設けられている。スイッチレバー２６は、スタートスイッチ２７に設けられた復帰バネの復帰力を利用して待機位置（スタートスイッチ２７を操作する前の位置）へ戻るようにしても良いし、スイッチレバー２６に専用の復帰バネを別に設けるようにしても良い。
【００６３】
スイッチレバー２６は、床面１にギリギリ到達しない程度の長さにするのが好ましい。そのために、スイッチレバー２６は、例えば、吸引口１４の高さ寸法よりも短く、吸引口１４の高さ寸法の半分よりは長くなるようにする。
【００６４】
吸引口１４と吸引風路１３の先端部との接続口部２５は、吸引口１４から吸引風路１３へのゴミの取込口となるものであり、この実施例では、上記した屈曲部１３ｃの先端部となっている。
【００６５】
接続口部２５の両側は、接続口部２５の正面を避けた接続口部２５に近い位置のことである。一対のスイッチレバー２６は、接続口部２５の両側に分けてそれぞれ１つずつ配置する。
【００６６】
スイッチレバー２６は、どのような形状のものとしても良いが、少なくとも、ワイパーヘッド２ｂが当たる下側の部分を丸棒状にするのが好ましい。この実施例では、各スイッチレバー２６は、吸引口１４から本体ケーシング１１の底面１１ａに対してほぼ垂直に延びる丸棒状の部分を有している。また、必要な場合には、各スイッチレバー２６に、吸引口１４へ向けて延びる分岐部などを適宜設けるようにしても良い。
【００６７】
なお、図５（図８）に示すように、本体ケーシング１１には、スタートスイッチ２７の他に、電源スイッチ２８を設けることができる。電源スイッチ２８は、オンにした時だけスタートスイッチ２７を使えるようにするための主電源である。但し、構造的には、スタートスイッチ２７を設けずに電源スイッチ２８だけを設けるようにしても良い。この実施例では、電源スイッチ２８を、本体ケーシング１１における吸引口１４とは反対側に位置する長辺側の側面１１ｄ（背面）に設けている。この際、長辺側の側面１１ｄに幅方向Ｙのほぼ全域に及ぶような凹状部分２９を設けて、凹状部分２９に電源スイッチ２８や、電源コード３１および電源コード３１の巻付部３２などを設けて、凹状部分２９に電源コード３１を収めることで、図４（ｂ）に示すように、電動チリトリ３を部屋の壁面３３などにほぼピッタリとくっつけて設置する（または、壁際に設置する）ことができるようになる。
【００６８】
（６）図１０に示すように、接続口部２５は、吸引口１４の幅中央部に設けられるようにしても良い。そして、一対のスイッチレバー２６が、吸引口１４を幅方向Ｙに３分割する位置に設けられるようにしても良い。
【００６９】
ここで、３分割する位置は、正確な３等分点とするのが配置上最も好ましいが、必ずしも正確な３等分点にする必要はなく、おおむね均等となるように３つに分けた位置に設ければ良い。また、一対のスイッチレバー２６は、吸引口１４の幅中央部やまたは両端部から等距離に設置するのが最も好ましいが、必ずしも等距離でなくても良い。
【００７０】
（７）図１３（〜図１５）に示すように、本体ケーシング１１の側面１１ｃに、吸引口１４の外側からスイッチレバー２６を操作するスイッチ操作具４１を装着可能としても良い。
【００７１】
ここで、スイッチ操作具４１は、樹脂製や金属製などとすることができる。スイッチ操作具４１は、吸引口１４が設けられた本体ケーシング１１の側面１１ｃに対して着脱可能な着脱部４２と、着脱部４２に対して可動するように取付けられて、スイッチレバー２６を外部から操作する操作部４３とを備えている。
【００７２】
図１４（図１５）に示すように、着脱部４２は、本体ケーシング１１の側面１１ｃに沿った平坦な取付面４２ａを一体に有すると共に、取付面４２ａの上縁部に本体ケーシング１１の側面１１ｃの上部に設けられたフランジ状の周壁部１１ｇに対して上方から係止可能な第一の係止部４２ｂを有している。取付面４２ａは、一対のスイッチレバー２６の間隔とほぼ同じかそれよりも広幅に形成され、第一の係止部４２ｂは、取付面４２ａの幅全域に対して連続して延びるものとされている。但し、第一の係止部４２ｂは、取付面４２ａの幅方向Ｙに対して不連続状態で複数設けるようにしても良い。
【００７３】
取付面４２ａの下部または下縁部には、吸引口１４の上縁部に対して外側から横方向に装着して下方から係止可能な第二の係止部４２ｃを有している。第二の係止部４２ｃは、取付面４２ａの幅方向Ｙに対し一対のスイッチレバー２６を避けて不連続に設けられるようにする。この実施例では、第二の係止部４２ｃは、一対のスイッチレバー２６の両側をそれぞれ挟むように４個（二対）設けられている。
【００７４】
操作部４３は、スイッチレバー２６の押込操作に必要なストローク分の間隔４４を有して少なくともその下部が取付面４２ａ（の外表面）から離間される可動部４３ａを有している。可動部４３ａと取付面４２ａとの上縁部間は、幅方向Ｙへ延びるヒンジ軸を有するヒンジ部４５によって回動可能に連結されている。
【００７５】
可動部４３ａの下部または下縁部には、一対のスイッチレバー２６を直接押込操作するための操作片４３ｂを有している。操作片４３ｂは、第二の係止部４２ｃよりも下側に位置して、スイッチレバー２６へ向けて（スイッチレバー２６にほぼ達する程度の長さで）横方向へ延びるものとされている。可動部４３ａは、取付面４２ａとの間に上記した間隔４４を確保・形成するために、例えば、外側へ向かって突出する屈曲形状や曲面形状の面などとしても良い。
【００７６】
この場合には、可動部４３ａは、屈曲形状のものとされている。可動部４３ａの屈曲形状部４３ｃは、高さ方向のほぼ中央部またはそれよりも上側に設けられており、上記した間隔４４は、屈曲形状部４３ｃよりも下側に確保形成されると共に、上記した間隔４４は、（スイッチレバー２６によって操作される）スタートスイッチ２７に設けた復帰バネやスイッチレバー２６に設けた復帰バネなどの復帰力を利用して維持されるようになっている。可動部４３ａの外表面には、可動部４３ａを外部から押し易くするために、例えば、リブなどの突起部を適宜設けるようにしても良い。
【００７７】
＜作用＞以下、この実施例の作用について説明する。
【００７８】
フローリング床を、フローリングワイパー２を用いて清掃する。フローリングワイパー２は、柄２ａを持ってワイパーヘッド２ｂを床面１に沿うように動かすことで、ワイパーヘッド２ｂに取付けた清掃シート４で床面１を払拭することができると共に、清掃シート４に床面１上のゴミを付着させて捕集することができる。
【００７９】
床清掃後に、清掃シート４には、ワイパーヘッド２ｂの側縁部２ｂ１の部分などにゴミが集中的に付着されることになり、また、清掃シート４に付着しないようなゴミも、ワイパーヘッド２ｂの側縁部２ｂ１の周辺に集められる。この清掃シート４の側縁部２ｂ１に付着したゴミとワイパーヘッド２ｂの側縁部２ｂ１周辺に集められたゴミとを捨てることで床清掃は終了となる。清掃シート４は、ある程度汚れたら適宜交換することができるが、付着したゴミを取ることで交換時期を延ばすことが可能である。
【００８０】
この際、ゴミは、ワイパーヘッド２ｂの床払拭面（底面）よりもワイパーヘッド２ｂの側縁部２ｂ１に対して多く付着するため、床清掃後に、ワイパーヘッド２ｂ（に取付けた清掃シート４）の側縁部２ｂ１（の部分）に集中的に付着しているゴミを手作業で取り除いて捨てることになるが、この作業は手が汚れると共に、煩わしいものである。
【００８１】
そこで、この実施例では、フローリングワイパー２と組み合わせて使用するのに適した電動チリトリ３を設けて、フローリングワイパー２に付着したゴミを取って捨てる作業を容易且つ確実に行い得るようにした。
【００８２】
＜効果＞この実施例の電動チリトリ３によれば、以下のような効果を得ることができる。
【００８３】
（効果１）吸引口１４が、本体ケーシング１１の底面１１ａに切欠状の凹部１５を有していることにより、吸引口１４の外側から内側まで床面１がそのまま連続するようになるので、吸引口１４へ差込んだワイパーヘッド２ｂや、ワイパーヘッド２ｂの側縁部２ｂ１に付着したゴミが、本体ケーシング１１の底面１１ａに引掛かったり突掛ったりしなくなり、ワイパーヘッド２ｂやゴミをスムーズに吸引口１４の奥へと案内することができる。これにより、吸引口１４でのゴミの吸い残しをなくすことが可能になると共に、電動チリトリ３の操作感を良くすることができる。
【００８４】
なお、ゴミは、ワイパーヘッド２ｂの床払拭面（底面）よりもワイパーヘッド２ｂの側縁部２ｂ１に対して多く付着するため、ワイパーヘッド２ｂ（に取付けた清掃シート４）の側縁部２ｂ１（の部分）に付着したゴミが吸い込めれば清掃シート４の再使用には十分である。
【００８５】
また、凹部１５を、幅方向Ｙの両端側が浅く、幅方向Ｙの中央へ向かって深くなるアーチ状にした。これにより、図１０（ａ）に示すように、吸引口１４へ差込んだワイパーヘッド２ｂの側縁部２ｂ１の両端部が、凹部１５に対して２点で接することで、吸引口１４の内部の２点間の部分がワイパーヘッド２ｂとの間で密閉されるかまたは密閉性が高められることになるので、ワイパーヘッド２ｂの大きさや形状に拘らず、安定して強い吸引力を発生できるようになる。よって、市販されている様々な大きさや形状のワイパーヘッド２ｂに広く対応させて、効率的にゴミを吸い取らせることができる。
【００８６】
また、ワイパーヘッド２ｂの側縁部２ｂ１の両端部が、凹部１５に２点で接することで吸引口１４の内部で密閉される空間が小さくなるので、図１０（ｂ）に示すように、吸引口１４に対するワイパーヘッド２ｂの差込み位置や差込み角度がどのようになっても、それに拘らず、安定して強い吸引力を発生させることができる。よって、吸引口１４にワイパーヘッド２ｂがどのように差込まれても支障なくワイパーヘッド２ｂの側縁部２ｂ１に付着したゴミを吸引できるようになるので、吸引口１４に注意深くワイパーヘッド２ｂを差込む必要がなくなって、電動チリトリ３の使い勝手を良くできる。
【００８７】
以上により、吸引口１４を単純な形状や構造としつつ、様々な大きさや形状のワイパーヘッド２ｂに対応できて、しかも、どのようなワイパーヘッド２ｂであっても効率的にゴミを吸い取れるようになる。
【００８８】
（効果２）本体ケーシング１１の底面１１ａに、（アーチ状をした）凹部１５の縁部に沿って床面１と密着可能なシール材２１を取付けても良い。これにより、床面１と（アーチ状をした）凹部１５の縁部との間に高い密着性が確保されるので、吸引口１４の内部の密閉性を高めることができる。
【００８９】
そして、シール材２１を、アーチ状をした凹部１５の縁部に沿って取付けることで、より少ないシール材２１を用いて、より効率的に床面１との密着性および吸引口１４内部の密閉性を高めることができる。
【００９０】
このように、吸引口１４の内部の密閉性が高まると、吸引装置１２を駆動した時に吸引口１４の内部に発生する真空度が高まるので、吸引装置１２のモータ１２ｂ容量を上げずに吸引力を上げることができる。よって、一般的な掃除機では吸い込み難い砂粒のようなゴミなどであっても強力に吸い込めるようになる。更に、モータ１２ｂの容量を上げなくても吸引力が高まるので、その分、部品コストやランニングコストを抑えることができる。
【００９１】
（効果３）吸引口１４が、凹部１５の両側に、本体ケーシング１１の側面１１ｃに対して凹部１５よりも浅く凹む段部２２を有しても良い。これにより、一般的な大きさのワイパーヘッド２ｂに合わせて作った凹部１５へ差込むことができないような大き目のワイパーヘッド２ｂなどであっても、吸引口１４へ呼び込んでゴミを吸込ませられるようになる。よって、一般的なものよりも大き目のワイパーヘッド２ｂを有するフローリングワイパー２にも対応することが可能となり、対応力を高めることができる。
【００９２】
そして、ワイパーヘッド２ｂの大きさなどによって凹部１５と段部２２とを分けて設けることにより、凹部１５を、一般的な大きさのワイパーヘッド２ｂにとって最も効果的となるように設定することが可能になり、凹部１５での吸引力を一層高めることができる。
【００９３】
（効果４）吸引口１４の上部に奥側へ向かって下り勾配となる傾斜面２４を設けても良い。これにより、吸引口１４の内部空間の容積をより小さくすると共に、吸引口１４の内部空間を、奥へ行く程狭くなるようにして奥側程吸引力を高くできる。
【００９４】
特に、図１１に示すように、吸引口１４へ差込んだワイパーヘッド２ｂの側縁部２ｂ１の上側の縁部が傾斜面２４に接することで、吸引口１４のワイパーヘッド２ｂと接した部分よりも奥側の部分がワイパーヘッド２ｂとの間で密閉されるかまたは密閉性が高められることになるので、その分、安定して強い吸引力を発生できるようになる。
【００９５】
（効果５）吸引口１４に一対のスイッチレバー２６を設け、一対のスイッチレバー２６を吸引口１４の上縁部から床面１へ向けて延びると共に、吸引口１４と吸引風路１３の先端部との接続口部２５（吸引風路１３へのゴミの取込口）の両側に位置するようにしても良い。
【００９６】
これにより、スイッチレバー２６が接続口部２５（取込口）の正面を避けた両側位置に配置されるので、スイッチレバー２６が接続口部２５（取込口）へのゴミの吸い込みの邪魔にならない。
【００９７】
また、スイッチレバー２６などのような長さを有する部材の場合には、スイッチボタンなどのような小さな突起状の操作部と比べて、ゴミの引掛りや挟まりなどを起こし易くなるが、スイッチレバー２６を接続口部２５（取込口）の両側に設けることで、スイッチレバー２６周辺のゴミを効率良く接続口部２５（取込口）へ吸い込ませることができるので、スイッチレバー２６へのゴミの引掛りや挟まりなどを防止することが可能となる。
【００９８】
この際、例えば、スイッチレバー２６を丸棒状のものとすることで、スイッチレバー２６へのゴミの引掛りや挟まりなどを起こし難くすることができると共に、ワイパーヘッド２ｂがどのような角度でスイッチレバー２６に当ったとしてもスイッチレバー２６を安定して押すことができるので、スイッチレバー２６を他の形状とした場合と比べて、作動の安定性を高めることができ、電動チリトリ３の使い勝手を良くすることができる。
【００９９】
（効果６）接続口部２５（取込口）を吸引口１４の幅中央部に設けると共に、一対のスイッチレバー２６を、吸引口１４を幅方向Ｙに３分割する位置に離して設けるようにしても良い。これにより、図１０（ｂ）に示すように、吸引口１４に対してワイパーヘッド２ｂが斜めに差込まれたような場合でも、ワイパーヘッド２ｂがスイッチレバー２６のどちらか一方に当たることで吸引装置１２を確実に作動させることができるので、作動ミスをなくすことができる。
【０１００】
しかも、吸引口１４に対してワイパーヘッド２ｂが斜めに差込まれた場合には、ワイパーヘッド２ｂが先に当たったスイッチレバー２６によって吸引装置１２が作動されるので、スイッチレバー２６を１つのみ設けた場合と比べて電動チリトリ３の反応が早くなり、電動チリトリ３の使い勝手を良くすることができる。
【０１０１】
この際、一対のスイッチレバー２６を、吸引口１４を幅方向Ｙに３分割する位置に離して設けることで、ワイパーヘッド２ｂが斜めに差込まれた時に、一対のスイッチレバー２６を狭い間隔に近接配置したものと比べて、より早期に吸引装置１２を作動できるようになる。
【０１０２】
なお、吸引口１４に対してワイパーヘッド２ｂが（極端に）斜めに差込まれた場合、状況によっては、ワイパーヘッド２ｂで集めたゴミのほぼ半分程度しか吸い込めないおそれが生じるが、このような場合には、ワイパーヘッド２ｂの角度を変えて反対側の部分を差込むことで、残り半分のゴミも吸い込むことができるので、２回の操作で集めたゴミの全てを吸い込むことができ、最小限の手間で済む。
【０１０３】
（効果７）ケーシングの側面１１ｃに対して、吸引口１４の外側からスイッチレバー２６を操作するスイッチ操作具４１を装着できるようにしても良い。これにより、吸引口１４へ差込むことができないフローリングワイパー２以外の清掃具（例えば、箒）であっても、ケーシングの側面１１ｃにスイッチ操作具４１を装着することで、スイッチ操作具４１を介して吸引口１４の外側からスイッチレバー２６を押せるようになり、これによって、フローリングワイパー２以外の清掃具で集めたゴミを、清掃具を使って吸引口１４から吸い込ませることが可能になる。このように、フローリングワイパー２以外の清掃具によっても電動チリトリ３を操作できるようになるので、電動チリトリ３の用途を拡げることができる。
【０１０４】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【０１０５】
１：床面    ２：フローリングワイパー    ２ｂ：ワイパーヘッド    ２ｂ１：側縁部
１１：本体ケーシング    １１ａ：底面    １１ｃ：側面
１２：吸引装置    １３：吸引風路    １４：吸引口    １５：凹部
２１：シール材    ２２：段部    ２４：傾斜面    ２６：スイッチレバー
４１：スイッチ操作具    Ｙ：幅方向
【図１】
2019180474.tif 000003
【図２】
2019180474.tif 000004
【図３】
2019180474.tif 000005
【図４】
2019180474.tif 000006
【図５】
2019180474.tif 000007
【図６】
2019180474.tif 000008
【図７】
2019180474.tif 000009
【図８】
2019180474.tif 000010
【図９】
2019180474.tif 000011
【図１０】
2019180474.tif 000012
【図１１】
2019180474.tif 000013
【図１２】
2019180474.tif 000014
【図１３】
2019180474.tif 000015
【図１４】
2019180474.tif 000016
【図１５】
2019180474.tif 000017